(57)【要約】【課題】出し入れがし易く、雑な扱いであっても枠体や収納ワゴンが損傷することがなく、また長期間の使用において接合部が外れることがない堅牢な構造の収納庫を提供すること。【解決手段】前面が開放され内部に収納空間を有する箱状の枠体２と、枠体２に出し入れ自在の収納ワゴン１と、からなり、収納ワゴン１は、前方板１１と前方板１１の裏面の下方に付設されるキャスター付き載置台１ａとからなり、載置台１ａは、後方の両角１２０がアール状を呈するプラスティック製の側面板１２を有し、且つ後方側に向けて先細り形状である収納庫。【選択図】図１
0003146537.tif 000002
【実用新案登録請求の範囲】
【請求項１】
前面が開放され内部に収納空間を有する箱状の枠体と、
該枠体に出し入れ自在の収納ワゴンと、からなり、
該収納ワゴンは、前方板と該前方板の裏面の下方に付設されるキャスター付き載置台とからなり、
該載置台は、後方の両角がアール状を呈するプラスティック製の側面板を有し、
且つ後方側に向けて先細り形状であることを特徴とする収納庫。
【請求項２】
プラスティック製の側面板は、内側板と該外側板とからなり、該内側板と該外側板間に隙間を有する二重構造であることを特徴とする請求項１記載の収納庫。
【請求項３】
該前方板と該側面板を接続する補強パイプを更に設置したことを特徴とする請求項１又は２記載の収納庫。
【請求項４】
載置台に載せるものが、ゴミ箱、雑誌類またはビン缶類であることを特徴とする請求項１〜３のいずれか１項に記載の収納庫。
【請求項５】
屋内で使用されるものであることを特徴とする請求項１〜４のいずれか１項に記載の収納庫。
【考案の詳細な説明】
【技術分野】
【０００１】
本考案は、主に、一戸建て、マンション、宿泊施設などのキッチンで使用されるゴミ箱などが収納される小型収納庫に関するものである。
【背景技術】
【０００２】
家庭などのキッチンで使用されるゴミ箱などが収納される小型収納庫としては、図９に示すような構造の収納庫が知られている。
【０００３】
図９の収納庫１００は、前面が開放され内部に収納空間１０８を有する箱状の木製の枠体１０２と、枠体１０２に出し入れ自在のキャスター１０６付き収納ワゴン１０１と、からなり、収納ワゴン１０１は、前方板１０９と前方板１０９の裏面の下方に付設される枠状の載置台１１０とからなるものである。また、載置台１１０は底板１０３と後方板１０４と前方板１０９と後方板１０４とを接続する左右両側板１０５からなり、不図示のゴミ箱などを収納する収納空間１０７を有している。
【０００４】
収納庫１００は収納ワゴン１０１が枠体１０２に収納されて、前方板１０９が枠体１０２の開口を塞ぐため、載置台１１０に設置されるゴミ箱（不図示）などの目隠しとなり、清潔感を与えている。また、左右の両側板１０５間の寸法、すなわち載置台１１０の幅寸法は、収納空間１０７の載置面積を広くとること、収納後のガタツキを防止することなどの理由から、枠体１０２の開口の幅より僅かに小さい程度である。
【０００５】
【非特許文献１】「パモウナ」パモウナ総合カタログ（発行所；株式会社パモウナ、発行日；２００４年）第３５頁
【考案の開示】
【考案が解決しようとする課題】
【０００６】
しかしながら、家庭内で使用される収納庫１００は、収納ワゴン１０１が毎日のように出し入れされ使用頻度が高いものである。また、収納ワゴン１０１の出し入れは、ごみの処分などの行為であるため、雑に行なわれることが多い。このため、枠体１０２の左右両側板１０２ａの前端面１０２ｂと収納ワゴン１０１の後方板１０４の両端部１０４ａが激突し、双方が損傷することが多い。また、収納ワゴン１０１の前方板１０９と載置台１１０との接合あるいは載置台１１０の枠組みを構成する各部材の接合は、各部材が木製であるため、ボスとボス孔との接合であることが多く、長期間の使用において接合が外れることもあった。
【０００７】
従って、雑な扱いであっても枠体や収納ワゴンが損傷することがなく、また長期間の使用において接合部が外れることがない堅牢な構造の収納庫の開発が望まれていた。
【０００８】
従って、本考案の課題は、出し入れがし易く、雑な扱いであっても枠体や収納ワゴンが損傷することがなく、また長期間の使用において接合部が外れることがない堅牢な構造の収納庫を提供することにある。
【課題を解決するための手段】
【０００９】
すなわち、本考案は、上記従来の課題を解決したものであって、前面が開放され内部に収納空間を有する箱状の枠体と、該枠体に出し入れ自在の収納ワゴンと、からなり、該収納ワゴンは、前方板と該前方板の裏面の下方に付設されるキャスター付き載置台とからなり、該載置台は、後方の両角がアール状を呈するプラスティック製の側面板を有し、且つ後方側に向けて先細り形状である収納庫を提供するものである。
【考案の効果】
【００１０】
本考案の収納庫は、出し入れがし易く、雑な扱いであっても枠体や収納ワゴンが損傷することがなく、また長期間の使用において接合部が外れることがない。
【考案を実施するための最良の形態】
【００１１】
次に、本考案の実施の形態における収納庫を図１〜図８を参照して説明する。図１は本例の収納庫の収納前における斜視図、図２は図１の右側面図、図３は図１の幅方向の中央で切った断面図、図４は収納ワゴンの分解斜視図、図５は収納ワゴンの一部材であるプラスティック製の側面板の斜視図、図６は図５の逆サイドから見た斜視図、図７は図５の平面図、図８は収納ワゴンにおける補強パイプの接続を説明するための図面である。なお、図２の２点鎖線で示す収納ワゴンは収納後のものを示す。また、本明細書中、「前」は使用者側を言い、「後」はその反対側を言う。
【００１２】
収納庫１０は、屋内で使用する小型収納庫であって、前面が開放され内部に収納空間を有する箱状の枠体２と、枠体２に出し入れ自在の収納ワゴン１と、からなる。
【００１３】
枠体２は固定部材であって、例えば、キッチンボードのカウンター下の収納空間に予め組み込まれたもの、壁面を背に床面に載置されたものなどの方法で固定されるものである。枠体２は木製であって、左右両側板２１、２１と、後方板２３と、天板２２の４つの側面板からなる箱状の枠体である。枠体２の裏面（内側）の下方には、５〜１０ｃｍ程度の高さのステンレス製の巾木２４が取り付けてある。これにより、収納ワゴン１の載置台１ａの激突による損傷防止を図っている。枠体２の収納空間（内部空間）には、例えばゴミ箱を載せた収納ワゴン１の全部又は大部分が収まる。なお、本考案において、巾木２４は任意の構成要素である。
【００１４】
収納ワゴン１は、前方板１１と前方板１１の裏面の下方に付設される４つのキャスター１５付き載置台１ａとからなる。前方板１１の幅寸法は枠体２の外幅寸法と略同じであり、前方板１１の高さは収納状態において前方板１１の上端と枠体２の上端とが同一高さとなるようになっている。これにより、収納の際、収納ワゴン１の前方板１１の裏面と枠体２の左右両側板２１、２１の前端面とが当接して収納の完了を感知できると共に、収納後の収納庫１０は箱状物となって、内部が見えず、意匠性を高めると共に清潔感を与えている。収納ワゴン１の前方板１１の幅寸法及び高さ寸法は、上記のものに限定されず、上記のものよりもひとまわり小さくして、前方板１１も枠体２の収納空間に完全に収まるようにしてもよい。
【００１５】
また、収納ワゴン１の前方板１１の上方端には、幅方向の全体に亘って、指が入る凹状のレール部１６が形成されている。これにより、レール部１６が把持部となり収納ワゴン１が引き出し易くなる。
【００１６】
載置台１ａは、底板１４と底板１４の左右両側のプラスティック製の側面板１２と、後方板１７を有する。側面板１２と後方板１７は底板１４に対して高さを有するため、載置台１ａは囲み状の形状となっている。これにより、ゴミ箱などが設置し易く且つ設置の安定性が高まる。載置台１ａは後方側に向けて僅かに先細りであり、前方板１１の接続部における載置台１ａの幅寸法は、枠体１０２の開口の幅より僅かに小さくすることで、収納空間の載置面積を広くとり、また収納後のガタツキを防止している。
【００１７】
左右両側のプラスティック製の側面板１２は、底板１４の両側に嵌合され前方部が前方板１１に螺子止めされるガード部材である。すなわち、図５〜図７に示すように、側面板１２は、前方板１１に固定されるフランジ部１２１と、腕状の側面本体部１２２と、側面本体部１２２の先端から内側に屈曲する前方部１２３からなり、側面本体部１２２と前方部１２３との接続部、すなわち角部１２０はアール状となっている。また、腕状の側面本体部１２２の下方の内側は切り欠かれて段差を有しており、板状の底板１４の側縁に嵌合し易いようになっている。フランジ部１２１は厚みのある板状体であり、６つの螺子孔１２７が形成されている。また、フランジ部１２１は図６に示すように、リブ構造であり、強度を保持しつつ軽量化を図っている。
【００１８】
また、側面板１２は、側面本体部１２２から前方部１２３に至る部分は、内側板１２５ａと外側板１２５ｂとからなり、内側板１２５ａと外側板１２５ｂ間に隙間１２９を有する二重構造である。符号１２８は内側板１２５ａと外側板１２５ｂを接続するリブ部材であり、隙間１２９は上下に貫通する貫通孔である。
【００１９】
また、側面板１２は、図７に示すように、フランジ部１２１を前方板１１に取り付けた際、平面視において後方側に向けて、すなわち図７中、符号Ｘから符号Ｙに向けて先細り形状である。また、側面板１２の角部１２０には補強パイプ１３を挿通する円形断面形状の貫通孔１２６が形成されている。
【００２０】
側面板１２は、板状の底板１４の側縁に嵌合して取り付けるものであり、底板１４の左右方向の幅寸法の影響を受けない。すなわち、前後方向の長さが同じで左右方向の幅寸法が異なる底板を使用する収納庫に対して、同一のプラスティック製の側面板１２を使用することができ、在庫管理が容易でコストの上昇を抑制できる。また、側面板１２はプラスティック製で先細りであり、且つ後方の角部１２０をアール形状としているため、枠体２に対して収納ワゴン１を出し入れする際、出し入れが行い易い。また、側面板１２の角部１２０が枠体２の左右両側板２１に激突しても、枠体２の損傷を与えることがない。また、ダンパー効果を奏する二重構造としているため、更に損傷防止効果を高めている。
【００２１】
収納ワゴン１において、前方板１１と底板１４と側面板１２は更に補強パイプ１３で接続されている。補強パイプ１３は左右両側のＬ字形状の主部材１３１とこの両側の主部材を連結するＩ字形状の連結部材１３２の３本からなる。
【００２２】
Ｌ字形状の主部材１３１は一端が４つの螺子孔を有する板状のフランジ部１３３を有し、他端はパイプ内にナット１３４が埋め込まれた雌螺子構造を有している。フランジ部１３３は前方板１１に螺子止めされる。他端の雌螺子構造を有するパイプの先端は側面板１２の貫通孔１２６に通され、底板１４に突き当たっている。また、パイプの中心と底板１４の貫通孔１４１とキャスターの基板１５１の貫通孔１５２のそれぞれの中心が一致しており、ボルト５をキャスターの基板１５１側からねじ込み、パイプ内のナット１３４と螺合させる。また、左右両側のＬ字形状の主部材１３１は、連結部材１３２により接続される。補強パイプ１３の使用により、前方板１１と底板１４と側面板１２が一体的に接続される。このため、収納ワゴン１は堅牢な構造となり、長期間、雑な取り扱いをされても各部材が外れることはない。
【００２３】
収納ワゴン１において、側面板１２と補強パイプ１３以外、すなわち前方板１１と底板１４と後方板１７は木製とすることが、安価で堅牢な構造とすることができる点で好適である。また、収納ワゴン１において、後方板１７は任意の構成部材である。
【００２４】
収納ワゴン１の載置台１ａに設置されるものとしては、ゴミ箱、雑誌類またはビン缶類が挙げられる。このうち、ゴミ箱が収納ワゴン１の出し入れが頻繁であり、本考案の効果が顕著に表れる点で好ましい。
【００２５】
次に、ゴミ箱を載置台１ａに設置した収納庫１０の使用方法について説明する。収納庫１０は収納ワゴン１が枠体２に収納され、箱状の外観を呈している。収納ワゴン１のレール部１６を持って、収納ワゴン１を手前に引出す。収納ワゴン１にはキャスターが付いているため、引き出しは容易である。次いで、載置台１ａ上のゴミ箱にゴミを入れ、蓋をして再度、枠体２に収納する。収納は、前方板１１を後方へ押し込むことで行う。この際、側面板１２はプラスティック製で先細りであり、且つ後方の角部１２０をアール形状としているため、枠体２に対して収納ワゴン１を出し入れする際、出し入れが行い易い。また、側面板１２の角部１２０が枠体２の左右両側板２１に激突しても、側面板１２のダンパー効果により枠体２に損傷を与えることがない。
【００２６】
収納ワゴン１の収納は収納ワゴン１の前方板１１が枠体２の左右両側板２１の前方端面に当たることで完了する。
【図面の簡単な説明】
【００２７】
【図１】本実施の形態例における収納庫の収納前における斜視図。
【図２】図１の右側面図。
【図３】図１の幅方向の中央で切った断面図。
【図４】収納ワゴンの分解斜視図。
【図５】収納ワゴンの一部材であるプラスティック製の側面板の斜視図。
【図６】図５の逆サイドから見た斜視図。
【図７】図５の平面図。
【図８】収納ワゴンにおける補強パイプの接続を説明するための図面。
【図９】従来の収納庫の収納前における斜視図。
【符号の説明】
【００２８】
１        収納ワゴン
１ａ      載置台
２        枠体
１０        収納庫
１１        前方板
１５      キャスター
２１          左右両側板
２２          天板
２３          後方板
【図１】
0003146537.tif 000003
【図２】
0003146537.tif 000004
【図３】
0003146537.tif 000005
【図４】
0003146537.tif 000006
【図５】
0003146537.tif 000007
【図６】
0003146537.tif 000008
【図７】
0003146537.tif 000009
【図８】
0003146537.tif 000010
【図９】
0003146537.tif 000011